(57)【要約】【課題】  右利き及び左利きの何れのユーザにも本体スイッチを操作し易くすると共に、本体を手で持ち運びながら掃除をし易くしたアップライト式電気掃除機を提供する。【解決手段】  掃除機本体（２）の一端に持ち運び用の取っ手（２ａ）が設けられ、前記取っ手（２ａ）に掃除機本体（２）内の電動送風機（３）のオン・オフ用の本体スイッチ（７）が設けられたアップライト式電気掃除機（１）であって、前記本体スイッチ（７）は前記取っ手（２ａ）の中央部に設けられている。【選択図】                図１
2005185584.tif 000002
【特許請求の範囲】
【請求項１】
底面に吸込開口を有する吸込室を形成した吸込口体と、該吸込口体に着脱自在に接続され且つ集塵室と電動送風機とを有する装置本体と、該装置本体に設けられ前記吸込室に連通した接続管と、該接続管に先端部が着脱自在に接続されていると共に上下方向に延びたパイプ状の延長管と、該延長管の後部に一端が接続され他端が装置本体に接続されて前記延長管と前記集塵室とを連通する集塵ホースと、 前記掃除機本体の上端に運び用の取っ手が設けられ、且つ、該取っ手に設けられた前記掃除機本体内の電動送風機のオン・オフ用の本体スイッチと、を備えたアップライト式の電気掃除機であって、
前記本体スイッチは、前記電気掃除機の使用時における進行方向と直交する方向に沿っていて、且つ、前記取っ手の中央部に設けられていることを特徴とする電気掃除機。
【請求項２】
前記本体スイッチは、スライドスイッチであることを特徴とする請求項１に記載の電気掃除機。
【発明の詳細な説明】
【技術分野】
【０００１】
本発明は、掃除機本体の上端部に、持ち運び用の取っ手が設けられたアップライト式の電気掃除機に関するものである。
【背景技術】
【０００２】
従来、アップライト式の電気掃除機（縦形電気掃除機）は、掃除機本体下部に吸込口体を有すると共に、この吸込口体に連通して掃除機本体後部に着脱自在に配設された延長管から集塵ホースを介して掃除機本体内の集塵カップに外気を送ることにより、外気に含まれる塵埃を捕集している。
【０００３】
また、部屋のコーナや高所を清掃するときには、延長管を掃除機本体から外すと共に延長管の先端部に所要のアタッチメントを装着することで、上記吸込口体を介することなく塵埃の捕集を行っている。
【０００４】
前記掃除機本体の上端部に持ち運び用の取っ手が設けられており、この取っ手の掃除機本体への取り付け部の側に掃除機本体内の電動送風機を作動又は停止させるための本体スイッチが設けられていた（特許文献１参照）。
【特許文献１】特開平１０−５１５５号公報。
【発明の開示】
【発明が解決しようとする課題】
【０００５】
しかしながら、従来の縦形の電気掃除機においては、本体スイッチが持ち運び用の取っ手の掃除機本体への取り付け部に偏って設けられていたので、右利きのユーザには利便性があるが左利きのユーザには不便であるという問題があった。また、電気掃除機の通常使用時において、延長管や集塵ホース等により本体スイッチが隠れることがあり、さらに延長管を掃除機本体から取り外して掃除機本体を手で持ち運びながら掃除をする場合には、本体スイッチの操作がし難いという問題があった。
【０００６】
本発明は、右利き及び左利きの何れのユーザにも本体スイッチを操作し易くすると共に、掃除機本体を手で持ち運びながら本体スイッチのオン・オフ操作をし易して、掃除をし易くした電気掃除機を提供することを目的とするものである。
【課題を解決するための手段】
【０００７】
本発明は、上述事情に鑑みなされたものであって、請求項１に記載の発明は、底面に吸込開口を有する吸込室を形成した吸込口体と、該吸込口体に着脱自在に接続され且つ集塵室と電動送風機とを有する装置本体と、該装置本体に設けられ前記吸込室に連通した接続管と、該接続管に先端部が着脱自在に接続されていると共に上下方向に延びたパイプ状の延長管と、該延長管の後部に一端が接続され他端が装置本体に接続されて前記延長管と前記集塵室とを連通する集塵ホースと、 前記掃除機本体の上端に運び用の取っ手が設けられ、且つ、該取っ手に設けられた前記掃除機本体内の電動送風機のオン・オフ用の本体スイッチと、を備えたアップライト式の電気掃除機であって、前記本体スイッチは、前記電気掃除機の使用時における進行方向と直交する方向に沿っていて、且つ、前記取っ手の中央部に設けられていることを特徴としている。
【発明の効果】
【０００８】
請求項１に係わる発明によれば、掃除機本体上部の持ち運び用の取っ手の中央部に本体スイッチを設けたので、右利き及び左利きの何れのユーザにも本体スイッチを操作し易くなる。また、持ち運び用の取っ手が本体上部にあることと、この取っ手の中央部に本体スイッチがあることで、掃除機本体を手で持ち運びながら本体スイッチのオン・オフ操作がし易くなり、これにより掃除が容易となる。
【発明を実施するための最良の形態】
【０００９】
以下、本発明の実施例を図面に基づいて説明する。
【実施例】
【００１０】
図１は、縦形の電気掃除機（アップライト式の電気掃除機）１の斜視図を示している。この電気掃除機１は、掃除機本体２内に電動送風機３が内蔵されており、この電動送風機３の連通風路上流側には前記電動送風機３により吸引された外気から塵埃を捕集する集塵カップ４が着脱自在に内装されている。５は集塵カップ４内に形成された集塵室である。
【００１１】
掃除機本体２の下端には吸込口体６が取り付けられている。この吸込口体６の後部両側には、床面Ｆ上を転動可能な１対のローラ（他方は図示せず）８がそれぞれ設けられている。
【００１２】
前記集塵カップ４の集塵室５に連通する連通風路９には集塵ホース１０の基端部１０ａが接続されており、この集塵ホース１０の自由端１０ｂ側には把手１１を一体的に有する操作管１２が設けられている。
【００１３】
前記操作管１２には、延長管１３の基端１３ａが着脱自在に装着されており、この延長管１３は伸縮自在の２本のパイプからなっている。延長管１３の先端１３ｂ（図１においては下端）は、掃除機本体２の背面下部に一体的に配設された延長管接続部１４内に装着されている。
【００１４】
前記延長管接続部１４の内部には、前記延長管１３の先端１３ｂが外嵌される接続管１５を有しており、この接続管１５の風路は前述した吸込口体６に連通している。
【００１５】
また、延長管１３の中間部にはフック１６ａが設けられている。このフック１６ａは掃除機本体２の後部側に設けられた係止部１６ｂに係脱可能に係止されている。上記フック１６ａ及び係止部１６ｂにより、延長管１３を掃除機本体２に係止するための係止手段１６が構成されている。
【００１６】
掃除機本体２の上部には、この掃除機本体２を持ち運びできるように、アーチ状をしている持ち運び用の取っ手２ａが一体的に設けられている。この取っ手２ａは、掃除機本体２の垂直上方に設けられている。
【００１７】
また、前記取っ手２ａは、電気掃除機１の使用時における進行方向（図２（Ａ）の矢印方向）に対して直交する方向に沿って設けられている。このため、掃除機本体２の持ち運びや掃除機本体２を持ったままでの掃除がし易くなっている。
【００１８】
そして、この取っ手２ａの中央部には、本体スイッチ７が設けられている。この本体スイッチ７は、矢印ａ方向にスライドできるようなスライドスイッチからなっている。このため、掃除機本体２を持ったままでの掃除がし易いと共に、掃除機本体２内の電動送風機３のオン・オフの操作がし易くなっている。
【００１９】
上記のように延長管１３が掃除機本体２に装着されている状態では、吸込口体６は延長管接続部１４の接続管１５、延長管１３、操作管１２及び集塵ホース１０等を介して、掃除機本体２内の集塵室５に連通している。 すなわち、電気掃除機１を床面Ｆ上で前後方向に移動させながら吸込口体６により床面Ｆを清掃することができる。
【００２０】
なお、前記延長管１３の先端１３ｂには、コーナやブラシ等の種々のアタッチメントＡ（図２（Ｂ）参照）が着脱されて使用できるようになっている。
【００２１】
［作用］
上述のように構成された電気掃除機の作用について説明する。
【００２２】
図２（Ａ）に示すように、アップライト式の電気掃除機１は、延長管１３及び掃除機本体２を後方側に少し倒して床面Ｆ上を矢印方向へ移動（又は前後動）させることにより吸込口体６から外気が吸い込まれる。吸い込まれた空気は、掃除機本体２内の電動送風機３による吸込負圧により延長管１３、操作管１２、集塵ホース１０等を介して集塵室５（図１参照）に導かれて、空気に含まれる床面Ｆ上の塵埃が捕集される。
【００２３】
また、床面Ｆ以外の狭い場所や高所等の清掃する場合には、図２（Ｂ）に示すように延長管１３が掃除機本体２から取り外されて延長管１３の先端１３ｂにコーナやブラシ等のアタッチメントＡが装着された状態で行われる。
【００２４】
この場合、掃除機本体２の持ち運び用の取っ手２ａを持って電気掃除機１を所要の場所に持ち運びできると共に、取っ手２ａをユーザの手で持ちながら本体スイッチ７を容易に操作できて、掃除がし易くすることができる。
【００２５】
電気掃除機１の動作をオン・オフさせるための本体スイッチ７は、前述したように取っ手２ａの中央部に配設してあるので、ユーザの右手又は左手の何れで操作しても常に本体スイッチ７を視認し易い状態にある。
【００２６】
すなわち、右利き及び左利きの両方のユーザに同じように本体スイッチ７を操作し易くなっている。
【００２７】
また、本体スイッチ７が取っ手２ａの上部側の中央部にあるため、本体スイッチ７が延長管１３や集塵ホース１０等に隠れることもないので視認しやすくなっている。特に延長管１３を掃除機本体２から取り外してアタッチメントＡによる掃除をする場合に、本体スイッチ７のオン・オフ操作を容易にすることができる。
【００２８】
そして、本体スイッチ７がスライドスイッチであることから、掃除機本体２を持ったまま掃除をできることに加えて、本体スイッチ７のオン・オフ操作を容易に行うことができて、掃除がし易くなる。
【図面の簡単な説明】
【００２９】
【図１】本発明に係わる電気掃除機の斜視図である。
【図２】（Ａ）は吸込口体を使用するときの電気掃除機の斜視図、（Ｂ）は延長管にアタッチメントが接続可能な状態の電気掃除機の斜視図である。
【符号の説明】
【００３０】
１            電気掃除機
２            掃除機本体
２ａ          持ち運び用の取っ手
３            電動送風機
５            集塵室
６            吸込口体
７            本体スイッチ
１０          集塵ホース
１３          延長管
【図１】
2005185584.tif 000003
【図２】
2005185584.tif 000004
【手続補正書】
【提出日】平成16年1月8日(2004.1.8)
【手続補正１】
【補正対象書類名】特許請求の範囲
【補正対象項目名】請求項１
【補正方法】変更
【補正の内容】
【請求項１】
底面に吸込開口を有する吸込室を形成した吸込口体と、該吸込口体に接続され且つ集塵室と電動送風機とを有する掃除機本体と、前記吸込口体と前記集塵室とを連通する集塵ホースと、前記掃除機本体の上端部であって前記掃除機本体の使用時における進行方向に対して直交する方向に沿って設けられた持ち運び用の取っ手と、該取っ手に設けられ前記電動送風機をオン・オフさせる本体スイッチと、を備えるアップライト式電気掃除機であって、
前記本体スイッチは、前記取っ手の中央部に設けられていることを特徴とする電気掃除機。
【手続補正２】
【補正対象書類名】明細書
【補正対象項目名】全文
【補正方法】変更
【補正の内容】
【発明の詳細な説明】
【技術分野】
【０００１】
本発明は、掃除機本体の上端部に、持ち運び用の取っ手が設けられたアップライト式電気掃除機に関するものである。
【背景技術】
【０００２】
従来、アップライト式電気掃除機（縦形電気掃除機）は、掃除機本体下部に吸込口体を有すると共に、この吸込口体に連通して掃除機本体後部に着脱自在に配設された延長管から集塵ホースを介して掃除機本体内の集塵カップに外気を送ることにより、外気に含まれる塵埃を捕集している。
【０００３】
また、部屋のコーナや高所を清掃するときには、延長管を掃除機本体から外すと共に延
長管の先端部に所要のアタッチメントを装着することで、上記吸込口体を介することなく
塵埃の捕集を行っている。
【０００４】
前記掃除機本体の上端部に持ち運び用の取っ手が設けられており、この取っ手の掃除機
本体への取り付け部の側に掃除機本体内の電動送風機を作動又は停止させるための本体ス
イッチが設けられていた（特許文献１参照）。
【特許文献１】特開平１０−５１５５号公報。
【発明の開示】
【発明が解決しようとする課題】
【０００５】
しかしながら、従来の縦形の電気掃除機においては、本体スイッチが持ち運び用の取っ
手の掃除機本体への取り付け部に偏って設けられていたので、右利きのユーザには利便性
があるが左利きのユーザには不便であるという問題があった。また、電気掃除機の通常使
用時において、延長管や集塵ホース等により本体スイッチが隠れることがあり、さらに延
長管を掃除機本体から取り外して掃除機本体を手で持ち運びながら掃除をする場合には、
本体スイッチの操作がし難いという問題があった。
【０００６】
本発明は、右利き及び左利きの何れのユーザにも本体スイッチを操作し易くすると共に
、掃除機本体を手で持ち運びながら本体スイッチのオン・オフ操作をし易して、掃除をし
易くしたアップライト式電気掃除機を提供することを目的とするものである。
【課題を解決するための手段】
【０００７】
本発明は、上述事情に鑑みなされたものであって、請求項１に記載の発明は、底面に吸込開口を有する吸込室を形成した吸込口体と、該吸込口体に接続され且つ集塵室と電動送風機とを有する掃除機本体と、前記吸込口体と前記集塵室とを連通する集塵ホースと、前記掃除機本体の上端部であって前記掃除機本体の使用時における進行方向に対して直交する方向に沿って設けられた持ち運び用の取っ手と、該取っ手に設けられ前記電動送風機をオン・オフさせる本体スイッチと、を備えるアップライト式電気掃除機であって、前記本体スイッチは、前記取っ手の中央部に設けられていることを特徴としている。
【発明の効果】
【０００８】
請求項１に係わる発明によれば、掃除機本体上部の持ち運び用の取っ手の中央部に本体
スイッチを設けたので、右利き及び左利きの何れのユーザにも本体スイッチを操作し易く
なる。また、持ち運び用の取っ手が本体上部にあることと、この取っ手の中央部に本体ス
イッチがあることで、掃除機本体を手で持ち運びながら本体スイッチのオン・オフ操作が
し易くなり、これにより掃除が容易となる。
【発明を実施するための最良の形態】
【０００９】
以下、本発明の実施例を図面に基づいて説明する。
【実施例】
【００１０】
図１は、縦形の電気掃除機（アップライト式電気掃除機）１の斜視図を示している。
この電気掃除機１は、掃除機本体２内に電動送風機３が内蔵されており、この電動送風機
３の連通風路上流側には前記電動送風機３により吸引された外気から塵埃を捕集する集塵
カップ４が着脱自在に内装されている。５は集塵カップ４内に形成された集塵室である。
【００１１】
掃除機本体２の下端には吸込口体６が取り付けられている。この吸込口体６の後部両側
には、床面Ｆ上を転動可能な１対のローラ（他方は図示せず）８がそれぞれ設けられてい
る。また、吸込口体６の底面には周知の吸込開口を有する吸込室（図示せず）が設けられている。
【００１２】
前記集塵カップ４の集塵室５に連通する連通風路９には集塵ホース１０の基端部１０ａ
が接続されており、この集塵ホース１０の自由端１０ｂ側には把手１１を一体的に有する
操作管１２が設けられている。
【００１３】
前記操作管１２には、延長管１３の基端１３ａが着脱自在に装着されており、この延長
管１３は伸縮自在の２本のパイプからなっている。延長管１３の先端１３ｂ（図１におい
ては下端）は、掃除機本体２の背面下部に一体的に配設された延長管接続部１４内に装着
されている。
【００１４】
前記延長管接続部１４の内部には、前記延長管１３の先端１３ｂが外嵌される接続管１
５を有しており、この接続管１５の風路は前述した吸込口体６に連通している。
【００１５】
また、延長管１３の中間部にはフック１６ａが設けられている。このフック１６ａは掃
除機本体２の後部側に設けられた係止部１６ｂに係脱可能に係止されている。上記フック
１６ａ及び係止部１６ｂにより、延長管１３を掃除機本体２に係止するための係止手段１
６が構成されている。
【００１６】
掃除機本体２の上部には、この掃除機本体２を持ち運びできるように、アーチ状をして
いる持ち運び用の取っ手２ａが一体的に設けられている。この取っ手２ａは、掃除機本体
２の垂直上方に設けられている。
【００１７】
また、前記取っ手２ａは、電気掃除機１の使用時における進行方向（図２（Ａ）の矢印
方向）に対して直交する方向に沿って設けられている。このため、掃除機本体２の持ち運
びや掃除機本体２を持ったままでの掃除がし易くなっている。
【００１８】
そして、この取っ手２ａの中央部には、本体スイッチ７が設けられている。この本体ス
イッチ７は、矢印ａ方向にスライドできるようなスライドスイッチからなっている。この
ため、掃除機本体２を持ったままでの掃除がし易いと共に、掃除機本体２内の電動送風機
３のオン・オフの操作がし易くなっている。
【００１９】
上記のように延長管１３が掃除機本体２に装着されている状態では、吸込口体６は延長
管接続部１４の接続管１５、延長管１３、操作管１２及び集塵ホース１０等を介して、掃
除機本体２内の集塵室５に連通している。すなわち、電気掃除機１を床面Ｆ上で前後方向に移動させながら吸込口体６により床面Ｆを清掃することができる。
【００２０】
なお、前記延長管１３の先端１３ｂには、コーナやブラシ等の種々のアタッチメントＡ
（図２（Ｂ）参照）が着脱されて使用できるようになっている。
【００２１】
［作用］
上述のように構成されたアップライト式電気掃除機の作用について説明する。
【００２２】
図２（Ａ）に示すように、アップライト式電気掃除機１は、延長管１３及び掃除機本体２を後方側に少し倒して床面Ｆ上を矢印方向へ移動（又は前後動）させることにより吸込口体６から外気が吸い込まれる。吸い込まれた空気は、掃除機本体２内の電動送風機３による吸込負圧により延長管１３、操作管１２、集塵ホース１０等を介して集塵室５（図１参照）に導かれて、空気に含まれる床面Ｆ上の塵埃が捕集される。
【００２３】
また、床面Ｆ以外の狭い場所や高所等の清掃する場合には、図２（Ｂ）に示すように延
長管１３が掃除機本体２から取り外されて延長管１３の先端１３ｂにコーナやブラシ等の
アタッチメントＡが装着された状態で行われる。
【００２４】
この場合、掃除機本体２の持ち運び用の取っ手２ａを持って電気掃除機１を所要の場所
に持ち運びできると共に、取っ手２ａをユーザの手で持ちながら本体スイッチ７を容易に
操作できて、掃除がし易くすることができる。
【００２５】
アップライト式電気掃除機１の動作をオン・オフさせるための本体スイッチ７は、前述したように取っ手２ａの中央部に配設してあるので、ユーザの右手又は左手の何れで操作しても常に本体
スイッチ７を視認し易い状態にある。
【００２６】
すなわち、右利き及び左利きの両方のユーザに同じように本体スイッチ７を操作し易く
なっている。
【００２７】
また、本体スイッチ７が取っ手２ａの上部側の中央部にあるため、本体スイッチ７が延
長管１３や集塵ホース１０等に隠れることもないので視認しやすくなっている。特に延長
管１３を掃除機本体２から取り外してアタッチメントＡによる掃除をする場合に、本体ス
イッチ７のオン・オフ操作を容易にすることができる。
【００２８】
そして、本体スイッチ７がスライドスイッチであることから、掃除機本体２を持ったま
ま掃除をできることに加えて、本体スイッチ７のオン・オフ操作を容易に行うことができ
て、掃除がし易くなる。
【図面の簡単な説明】
【００２９】
【図１】本発明に係わるアップライト式電気掃除機の斜視図である。
【図２】（Ａ）は吸込口体を使用するときのアップライト式電気掃除機の斜視図、（Ｂ）は延長管にアタッチメントが接続可能な状態のアップライト式電気掃除機の斜視図である。
【符号の説明】
【００３０】
１            アップライト式電気掃除機
２            掃除機本体
２ａ          持ち運び用の取っ手
３            電動送風機
５            集塵室
６            吸込口体
７            本体スイッチ
１０          集塵ホース